(57)【要約】【課題】プリンタの成果物として所望の結果を損失せずに、プリンタにおける用紙種類設定の煩わしさを軽減することができる印刷装置を提供することを目的とする。【解決手段】給紙トレイを選択する手段を具備する印刷装置において、上記給紙トレイ選択が手差しトレイであれば、上記印刷装置の給紙トレイに用紙をセットする前に、ホスト装置から印刷ジョブを投入するように促す手段を有する。また、印刷ジョブに設定されている用紙種類を、プリンタに設定する用紙種類設定手段を有する。【選択図】図３
2009015356.tif 000002
【特許請求の範囲】
【請求項１】
給紙トレイを選択する手段を具備する印刷装置において、
上記給紙トレイの選択が手差しトレイであれば、上記印刷装置の給紙トレイに用紙をセットする前に、ホスト装置から印刷ジョブを投入するように促す手段と；
印刷ジョブに設定されている用紙種類を、プリンタに設定する用紙種類設定手段と；
を有することを特徴とする印刷装置。
【請求項２】
給紙トレイを選択する手段と、各給紙トレイにセットされている用紙種類を設定する手段とを具備する印刷装置において、
上記給紙トレイの選択がロールトレイであれば、現在の用紙種類の設定で充分であるかどうかを調べる手段と；
現在の用紙種類の設定で充分であれば、プリンタの用紙種類設定を省く手段と；
を有することを特徴とする印刷装置。
【請求項３】
給紙トレイを選択する手段と、各給紙トレイにセットされている用紙種類を設定する手段とを具備する印刷装置において、
上記給紙トレイの選択がカセットトレイであれば、現在のプリンタの用紙種類の設定を使用するように動作する手段を有することを特徴とする印刷装置。
【請求項４】
ホストインタフェースがローカル接続であれば、印刷ジョブで指定されている用紙種類と印刷装置に設定されている用紙種類とのミスマッチ判定を省き、ネットワーク接続であれば、上記ミスマッチ判定を実行する手段を有することを特徴とする印刷装置。
【請求項５】
ホストインタフェースがローカル接続であり、給紙トレイ指定が手差しトレイであれば、印刷ジョブで指定されている用紙種類を、プリンタの用紙種類設定に上書きする手段を有することを特徴とする印刷装置。
【請求項６】
ホストインタフェースがローカル接続であり、給紙トレイ指定がロールトレイ又はカセットトレイであれば、印刷ジョブの印刷期間にのみ、印刷ジョブで指定されている用紙種類によって、プリンタの用紙種類設定を上書きする手段を有することを特徴とする印刷装置。
【請求項７】
給紙トレイを選択する手段を具備する印刷装置の制御方法において、
上記給紙トレイの選択が手差しトレイであれば、上記印刷装置の給紙トレイに用紙をセットする前に、ホスト装置から印刷ジョブを投入するように促す工程と；
印刷ジョブに設定されている用紙種類を、プリンタに設定する用紙種類設定工程と；
を有することを特徴とする印刷装置の制御方法。
【発明の詳細な説明】
【技術分野】
【０００１】
本発明は、ホストインタフェースを介して、ホスト装置から、印刷ジョブを受信する手段を有する印刷装置に関する。
【背景技術】
【０００２】
従来、オフィス用プリンタにおいて、ホストインタフェースとして、ＵＳＢ等のローカル接続だけではなく、ネットワーク接続を採用することが一般的であり、複数ユーザによる同時使用が可能である。また、上記同時使用に伴い、ホスト装置とプリンタとの双方で、用紙種類等の設定を行う必要があり、この設定が煩わしいので、以下のような発明が提案されている。
【０００３】
プリンタにおける用紙サイズ設定値と、印刷データにおける用紙サイズ設定値とが互いに異なると、ローカル接続であれば、手差しトレイに用紙をセットすることを、ホストインタフェースが促す。一方、ネットワーク接続であれば、プリンタに設定されているサイズで、縮小／拡大する発明が知られている（たとえば、特許文献１参照）。
【０００４】
プリンタにおける用紙サイズの設定値と、印刷ジョブにおける用紙サイズの設定値とが互いに異なれば、印刷ジョブで指定されている給紙トレイの設定値を、当該印刷ジョブに限り、印刷ジョブの設定値で、一時的に書き換える。この発明が知られている（たとえば、特許文献２参照。）。
【特許文献１】特開平０９−２９７６６８号公報
【特許文献２】特開２００６−２２４３９８号公報
【発明の開示】
【発明が解決しようとする課題】
【０００５】
しかし、特許文献１記載の発明では、プリンタに設定されている用紙サイズで、縮小／拡大するので、所望の印刷結果を得ることができないという問題がある。
【０００６】
特許文献２記載の発明では、当該印刷ジョブに限って印刷ジョブの設定値で、一時的に一律に書き換えるので、ネットワーク接続環境下において、他人がセットしたメディアに、最適ではない印刷設定で印刷する可能性がある。よって、成果物（印刷物）としては用を成さない。手差しトレイに、実際にセットされている用紙種類が変更されているにも関わらず、一時的にしかプリンタの設定を上書きしないので、たとえば、用紙種類のミスマッチ判定を行うプリンタでは、上記ミスマッチに関するエラー等が毎回表示され、煩わしい。
【０００７】
本発明は、プリンタの成果物として所望の結果を損失せずに、プリンタにおける用紙種類設定の煩わしさを軽減することができる印刷装置を提供することを目的とする。
【課題を解決するための手段】
【０００８】
本発明は、給紙トレイを選択する手段を具備する印刷装置において、上記給紙トレイ選択が手差しトレイであれば、上記印刷装置の給紙トレイに用紙をセットする前に、ホスト装置から印刷ジョブを投入するように促す手段を有する。また、印刷ジョブに設定されている用紙種類を、プリンタに設定する用紙種類設定手段を有する。
【発明の効果】
【０００９】
本発明によれば、自分がプリンタにセットした用紙を、他人に使用されることがなく、また、プリンタにおける用紙種類設定を省略することができるという効果を奏する。
【発明を実施するための最良の形態】
【００１０】
発明を実施するための最良の形態は、次の実施例である。
【実施例１】
【００１１】
図１は、本発明の実施例１である印刷装置ＰＲ１を示すブロック図である。
【００１２】
印刷装置ＰＲ１は、ＣＰＵ１と、ＬＣＤ等の表示部２と、スイッチやキー等の入力部３と、印刷部４と、供給／回復部５と、給紙部６と、メモリ７、８、９と、ローカル接続ホストインタフェース１０と、ネットワーク接続ホストインタフェース１１とを有する。印刷装置ＰＲ１は、パソコン等のホスト装置１２に接続される。
【００１３】
印刷部４は、インクを吐出し印刷を行う印刷ヘッドと、印刷ヘッドを装着するためのキャリッジと、キャリッジを駆動するためのモータとによって構成されている。
【００１４】
供給／回復部５は、インクを格納するインクタンクやインクを各印刷ヘッドに供給するチューブ、モータ等によって構成されている。給紙部６は、ロールトレイ、カセットトレイ、手差しトレイ等である。
【００１５】
メモリ７は、書き換えの発生頻度が低いモジュールを格納するＲＯＭやフラッシュメモリ等である。メモリ８は、主にメモリ７に格納されているプログラムの作業領域や変数等に使用されるＲＡＭである。メモリ９は、電源オフ状態においても値を保持したい変数を格納するために使用するＥＥＰＲＯＭであり、いわゆるＮＶＲＡＭである。
【００１６】
ローカル接続ホストインタフェース１０は、ＵＳＢ等である。
【００１７】
実施例１では、表示部２と入力部３とを併せて、パネルと呼ぶ。メモリ７に格納されているファームウェアは、印刷装置を制御するためのプログラムであり、図３、図４に示すフローチャートに対応するプログラムを含む。
【００１８】
メモリ８に確保されている受信バッファには、ホスト装置１２から、ローカル接続ホストインタフェース１０又はネットワーク接続ホストインタフェース１１を介して受信したジョブ（印刷データ）等が格納される。メモリ８に確保されているプリントバッファには、受信バッファから読み込んだラスタデータを展開（圧縮されている場合）し、格納する。なお、受信バッファとプリントバッファとは、実施例１において、特に重要ではないので、これ以上の詳しい説明を省く。
【００１９】
図２は、印刷装置ＰＲ１の本体を示す図である。
【００２０】
印刷装置ＰＲ１は、表示部２と入力部３とを有する。
【００２１】
図３は、印刷装置ＰＲ１の動作を示すフローチャートである。
【００２２】
実施例１は、給紙トレイを選択する手段と、各給紙トレイにセットされている用紙種類を設定する手段とを有する印刷装置において、次のように動作する。
【００２３】
上記給紙トレイの選択において、手差しトレイを選択すると、まず、印刷ジョブを投入するように促すメッセージを表示し、ロールトレイであれば、現在の用紙種類の設定で充分であることを確認するメッセージを表示する。カセットトレイであれば、現在の用紙種類の設定を使用するように動作する。
【００２４】
ホストインタフェースが、ネットワーク接続であれば、用紙種類ミスマッチ判定を実行するように動作する。ローカル接続であり、給紙トレイ指定が手差しトレイであれば、印刷ジョブで指定されている用紙種類で、プリンタの用紙種類設定を上書きする。ロールトレイ又はカセットトレイであれば、当該印刷ジョブの印刷期間にのみ、印刷ジョブで指定されている用紙種類で、プリンタの用紙種類設定を上書きする。
【００２５】
次に、実施例１の動作について説明する。まず、各給紙トレイに用紙を取り付ける処理について説明する。
【００２６】
なお、用紙取り付け処理は、たとえば、ロールや手差しであれば、各給紙トレイに用紙を挿入し、印刷装置ＰＲ１が上記用紙を搬送し、印刷可能状態にする処理である。カセットである場合、たとえば、用紙がセットされているカセットトレイを、印刷装置ＰＲ１に装着することを示す。各給紙トレイは、特別な形状を想定している訳では無いので、特に図示していない。
【００２７】
Ｓ１で、ロールトレイへの用紙取り付けであるか否かを判断する。この判断を行う場合、たとえば、上記ロールトレイ入り口のセンサ（未図示）によって、用紙を検知する方法等を想定している。ロールトレイである場合、Ｓ２へ進み、ロール以外である場合、Ｓ７へ進む。
【００２８】
Ｓ２で、現在印刷装置ＰＲ１に設定されている用紙種類で充分であるかどうかを判断する確認メッセージを、表示部２に表示する。表示内容は、Ｓ２で示す例でもよく、実際に現在の用紙種類を表示するようにしてもよい。Ｓ２〜Ｓ４の処理によって、Ｓ５の用紙種類設定を省略することができる。
【００２９】
Ｓ３で、入力部３から入力されたキーの種類を取得する。
【００３０】
Ｓ４では、Ｓ３で入力されたキーがＯＫを示すキーであるか否かを判断する。Ｓ３における入力キー種類の取得方法、ＯＫを示すキーについては、システム依存である。ＯＫキーが押された場合、Ｓ６へ進み、それ以外のキーが押された場合、Ｓ５へ進む。なお、上記それ以外のキーの種類に関しては、システム依存であり、専用のキーを設けるようにしてもよく、文字通りＯＫキー以外のキーであってもよい。
【００３１】
Ｓ５では、Ｓ４でＯＫキー以外が押されたので、用紙種類設定を行っている。この設定方法は、たとえば、表示部２に、用紙種類を選択することができるように表示し、入力部３を用いて所望の用紙種類を選択し、メモリ９に保存することが考えられる。
【００３２】
Ｓ６で、上記用紙種類設定に基づいて、ロールトレイに用紙を取り付ける処理を行う。上記「用紙を取り付ける処理」は、主に用紙を搬送し、印刷可能な位置にセットする処理であり、実施例１においては特に重要ではない。
【００３３】
Ｓ７で、カセットトレイへの用紙取り付けであるか否かを判断する。これを判断する場合、たとえば、上記カセットトレイが印刷装置ＰＲ１に装着されたことをセンサ（図示せず）が検知する。カセットトレイであれば、Ｓ８へ進み、手差しトレイであれば、Ｓ９へ進む。
【００３４】
Ｓ８で、上記用紙種類設定に基づいて、カセットトレイに用紙を取り付ける処理を行う。ここでの用紙取り付け処理は、カセットトレイであり、実施例１では特に行う処理はないが、システムによっては、各種初期化処理等を行うようにしてもよい。
【００３５】
Ｓ９で、給紙トレイに手差しトレイが指定された印刷ジョブを、ローカル接続ホストインタフェース１０又はネットワーク接続ホストインタフェース１１が受信済みであるかどうかを判断する。受信済みであれば、Ｓ１１へ進み、未受信であれば、Ｓ１０へ進む。
【００３６】
Ｓ１０では、上記印刷ジョブを未受信であるので、まず、印刷ジョブを、ホスト装置１２が送信するように、表示部２にメッセージを表示する。
【００３７】
Ｓ１１では、Ｓ９で受信した印刷ジョブで指定されている用紙種類を、印刷装置ＰＲ１に設定する。Ｓ９〜Ｓ１１の処理によって、手差しトレイであれば、Ｓ５で示した用紙種類設定を省略することができる。
【００３８】
Ｓ１２で、上記用紙種類設定に基づいて、手差しトレイに用紙を取り付ける処理を行う。ここでの用紙取り付け処理は、Ｓ６の処理と同様に、主に用紙を搬送し、印刷可能な位置にセットする処理であり、実施例１においては特に重要ではない。
【００３９】
上記処理によって、トレイ選択が手差しトレイであれば、まず、印刷ジョブを投入するように促すメッセージを表示することによって、印刷装置ＰＲ１に自分がセットした用紙を、他人に使用されることがない。また、印刷装置ＰＲ１における用紙種類設定を省略することができる。ロールトレイであれば、現在の用紙種類の設定でよいかどうかを調べるメッセージを表示する。
【００４０】
これによって、所望の成果物を損なうおそれを回避し、かつ、印刷装置ＰＲ１における用紙種類設定を簡略することができる。カセットトレイであれば、現在の用紙種類の設定を使用することによって、印刷装置ＰＲ１における用紙種類設定を省略できる。
【００４１】
次に、実施例１において、ミスマッチ判定と用紙種類設定との動作について説明する。
【００４２】
図４は、実施例１において、ミスマッチ判定と用紙種類設定との動作を示すフローチャートである。
【００４３】
Ｓ２１で、ホスト装置１２とのインタフェースが、ローカル接続ホストインタフェース１０であるか、ネットワーク接続ホストインタフェース１１であるかを判断する。ネットワーク接続であれば、Ｓ２２へ進み、ローカル接続であれば、Ｓ２３へ進む。
【００４４】
Ｓ２２で、用紙種類のミスマッチ判定を行う。この判定処理において、たとえば、印刷ジョブと印刷装置ＰＲ１に設定されている用紙のサイズやタイプとが一致しているか否かを判断する。Ｓ２１とＳ２２との処理によって、複数人が１台の印刷装置ＰＲ１を共有するネットワーク接続環境下において、他人がセットしたメディアに、最適ではない印刷設定で印刷される可能性を除去することができる。
【００４５】
Ｓ２３で、印刷ジョブの給紙トレイ指定が、ロールトレイ又はカセットトレイであるかどうかを判断する。一致すれば、Ｓ２４へ進み、手差しトレイであれば、Ｓ２５へ進む。
【００４６】
Ｓ２４で、当該印刷ジョブについてのみ、印刷ジョブで指定されている用紙種類を、印刷装置ＰＲ１に設定する。この処理によって、図３に示すＳ９〜Ｓ１１の一連の処理を実行しない印刷装置ＰＲ１において、用紙種類設定を省略することができる。
【００４７】
Ｓ２５では、印刷ジョブで指定されている用紙種類を、印刷装置ＰＲ１に設定する。この処理によって、図３に示すＳ９〜Ｓ１１の一連の処理を実行しない印刷装置ＰＲ１でも、用紙種類設定を省略し、かつ、ミスマッチに関するエラー等が毎回表示されることを回避することができる。
【００４８】
上記のように、ホストインタフェースが、ローカル接続であり、給紙トレイ指定が手差しトレイであれば、印刷ジョブで指定されている用紙種類で、印刷装置ＰＲ１の用紙種類設定を上書きすることによって、用紙種類設定を省略することができる。また、ミスマッチに関するエラー等が毎回表示されることを回避することができる。ロールトレイ又はカセットトレイであれば、当該印刷ジョブの印刷期間にのみ、印刷ジョブで指定されている用紙種類で、印刷装置ＰＲ１の用紙種類設定を上書きすることによって、用紙種類設定を省略することができる。
【００４９】
請求項１記載の発明によれば、自分が印刷装置ＰＲ１にセットした用紙を他人に使用されること無く、かつ、印刷装置ＰＲ１における用紙種類設定を省略することができる。
【００５０】
請求項２記載の発明によれば、所望の成果物を損なう可能性を回避し、かつ、印刷装置ＰＲ１における用紙種類設定を簡略することができる。
【００５１】
請求項３記載の発明によれば、印刷装置ＰＲ１における用紙種類設定を省略することができる。
【００５２】
請求項４記載の発明によれば、ローカル接続の場合は印刷装置ＰＲ１における用紙種類設定を省略し、かつ、ネットワーク接続の場合は他人がセットしたメディアに最適ではない印刷設定で印刷する可能性を防ぐことができる。
【００５３】
請求項５記載の発明によれば、印刷装置ＰＲ１における用紙種類設定を省略することができる。
【００５４】
請求項６記載の発明によれば、印刷装置ＰＲ１における用紙種類設定を省略し、かつ、毎回ミスマッチに関するエラー等が表示されることを回避することができる。
【００５５】
つまり、上記実施例１は、給紙トレイを選択する手段を具備する印刷装置において、上記給紙トレイ選択が手差しトレイであれば、上記印刷装置の給紙トレイに用紙をセットする前に、ホスト装置から印刷ジョブを投入するように促す手段を有する。また、印刷ジョブに設定されている用紙種類を、プリンタに設定する用紙種類設定手段を有する印刷装置の例である。
【００５６】
また、上記実施例は、給紙トレイを選択する手段と、各給紙トレイにセットされている用紙種類を設定する手段とを具備する印刷装置において、上記給紙トレイ選択がロールトレイであれば、現在の用紙種類の設定で充分であるかどうかを調べる手段を有する。そしえ、現在の用紙種類の設定で充分であれば、プリンタの用紙種類設定を省く手段を有する印刷装置である。
【００５７】
上記実施例は、給紙トレイを選択する手段と、各給紙トレイにセットされている用紙種類を設定する手段とを具備する印刷装置において、上記給紙トレイ選択がカセットトレイであれば、現在のプリンタの用紙種類の設定を使用するように動作する手段を有する。
【００５８】
上記実施例は、ホストインタフェースがローカル接続であれば、印刷ジョブで指定されている用紙種類と印刷装置に設定されている用紙種類とのミスマッチ判定を省き、ネットワーク接続であれば、上記ミスマッチ判定を実行する手段を有する印刷装置である。
【００５９】
上記実施例は、ホストインタフェースがローカル接続であり、給紙トレイ指定が手差しトレイであれば、印刷ジョブで指定されている用紙種類を、プリンタの用紙種類設定に上書きする手段を有する印刷装置である。
【００６０】
上記実施例は、ホストインタフェースがローカル接続であり、給紙トレイ指定がロールトレイ又はカセットトレイであれば、印刷ジョブの印刷期間にのみ、印刷ジョブで指定されている用紙種類によって、プリンタの用紙種類設定を上書きする。
【００６１】
また、上記実施例を方法の発明として把握することができる。つまり、上記実施例は、給紙トレイを選択する手段を具備する印刷装置の制御方法において、上記給紙トレイ選択が手差しトレイであれば、上記印刷装置の給紙トレイに用紙をセットする前に、ホスト装置から印刷ジョブを投入するように促す工程を有する。また、上記実施例は、印刷ジョブに設定されている用紙種類を、プリンタに設定する用紙種類設定工程を有する印刷装置の制御方法の例である。
【図面の簡単な説明】
【００６２】
【図１】本発明の実施例１である印刷装置ＰＲ１を示すブロック図である。
【図２】印刷装置ＰＲ１の本体を示す図である。
【図３】印刷装置ＰＲ１の動作を示すフローチャートである。
【図４】実施例１において、ミスマッチ判定と用紙種類設定との動作を示すフローチャートである。
【符号の説明】
【００６３】
ＰＲ１…印刷装置、
１…ＣＰＵ、
２…表示部、
３…入力部、
４…印刷部、
５…供給／回復部、
６…給紙部、
７…メモリ、
８…メモリ、
９…メモリ、
１０…ローカル接続ホストインタフェース、
１１…ネットワーク接続ホストインタフェース、
１２…ホスト装置。
【図１】
2009015356.tif 000003
【図２】
2009015356.tif 000004
【図３】
2009015356.tif 000005
【図４】
2009015356.tif 000006